(57)【要約】  【課題】  フィルタを使用することなしに、従って複数のフィルタを持ち歩く必要なしに、更には撮影後にパーソナルコンピュータ等を使用しての煩瑣で複雑な編集作業を行う必要もなしに、簡単且つ容易に画像の一部に修正又は種々の効果を施した撮影をその場で行なうことが可能な撮像装置を提供する。  【解決手段】  表示部４の表示画面上に任意の領域及び任意の色温度を設定することにより、設定された領域に対応するフラッシュ発光部８の発光面の領域を設定された色温度で発光するようにフラッシュ駆動回路７が制御する。一方、カメラ部１が撮像している画像中の設定された領域に対応する部分が設定された色温度で撮像された場合の状態に変換されて表示部４に表示される。【選択図】      図１
2005277957.tif 000002
【特許請求の範囲】
【請求項１】
撮像手段と、該撮像手段が撮像している画像を表示画面に表示する表示手段と、該表示手段の表示画面と相似形状の発光面に多数配列された三色の発光素子を発光させるフラッシュとを備えた撮像装置において、
前記発光面の任意の領域内に配列された前記三色の発光素子それぞれによる発光量を個別に制御する発光制御手段を備えたことを特徴とする撮像装置。
【請求項２】
前記表示画面上に任意の領域を設定する領域設定手段と、
該領域設定手段により設定された領域に任意の色温度を設定する色温度設定手段と
を備え、
前記発光制御手段は、前記フラッシュの発光面の前記領域設定手段により設定された領域の前記表示画面上での位置に対応する発光領域が前記色温度設定手段により設定された色温度で発光するように前記三色の発光素子それぞれによる発光量を個別に制御するようにしてあること
を特徴とする請求項１に記載の撮像装置。
【請求項３】
前記撮像手段が撮像している画像の前記領域設定手段により設定された領域の前記表示画面上での位置に対応する領域のホワイトバランスを算出するホワイトバランス算出手段と、
前記撮像手段が撮像している画像の前記領域設定手段により設定された領域の前記表示画面上での位置に対応する領域の画像を、前記ホワイトバランス算出手段が算出したホワイトバランスのデータを前記色温度設定手段により設定された色温度に変換した画像に変換する画像変換手段と、
前記撮像手段が撮像している画像の前記領域設定手段により設定された領域の前記表示画面上での位置に対応する領域の画像を前記画像変換手段が変換した画像に置換して前記表示手段の表示画面に表示するシミュレーション手段と
を備えたことを特徴とする請求項２に記載の撮像装置。
【請求項４】
前記シミュレーション手段が前記表示手段の表示画面に表示している画像が撮影された場合に前記ホワイトバランス算出手段が算出していたホワイトバランスのデータと、前記色温度設定手段により設定されていた色温度のデータとを対応付けて記憶する記憶手段を備え、
前記画像変換手段は、前記領域設定手段により前記表示画面上に任意の領域が設定された場合に、前記撮像手段が撮像している画像の前記領域設定手段により設定された領域の前記表示画面上での位置に対応する領域の画像を、前記ホワイトバランス算出手段が算出したホワイトバランスのデータを該データと最も近いデータに対応付けて前記記憶手段が記憶している色温度のデータに変換した画像に変換し、
前記シミュレーション手段は、前記撮像手段が撮像している画像の前記領域設定手段により設定された領域の前記表示画面上での位置に対応する領域を前記画像変換手段が変換した画像に置換して前記表示手段の表示画面に表示させるようにしてあること
を特徴とする請求項３に記載の撮像装置。
【発明の詳細な説明】
【技術分野】
【０００１】
本発明は、発光源として三色（Ｒ，Ｇ，Ｂ）それぞれを個別に発光する発光素子、たとえばＬＥＤのような半導体発光素子を用いてフラッシュ撮影を行なう撮像装置に関し、より詳細には、主として動画，静止画撮影時における被写体の色温度の補正を行なうと共に、種々の効果を付加することが可能なデジタルカメラに関する。
【背景技術】
【０００２】
カメラのフラッシュは、従来は銀塩フィルムを使用するカメラのために、色温度が昼間の太陽光（デイライト）の場合とほぼ同様になるようにして、一般的なデイライト用のフィルムをフラッシュ光源下においても使用可能とするためのものであり、近年著しく普及しているデジタルカメラにおいても基本的には同様であった。このようなカメラのフラッシュの発光源としては従来はキセノン管，白色ＬＥＤ等が用いられていた。しかし、近年では白色ＬＥＤではなく三色（Ｒ，Ｇ、Ｂ）のＬＥＤの個々の色の発光量の比率を制御することによって、フラッシュ光を所望の色温度となるようにする技術もたとえば特許文献１に開示されている。
【特許文献１】特開２００３−２１５６７４号公報
【発明の開示】
【発明が解決しようとする課題】
【０００３】
ところで、上述した特許文献１に開示されている技術では、朝，夕方等の太陽光の逆行補正の際の従来のフラッシュ撮影による不自然さを解消するために三色のＬＥＤの各色の発光量の比率を調整している。このため、フラッシュ光を用いた特殊効果，色温度を変化させることによる強調効果を得るためには、フラッシュの発光面に色フィルタを取り付けることによりフラッシュ光の色温度を変化させるか、またはレンズの前面に色フィルタを取り付けることによりカメラへの入射光の色調を変化させる必要があった。このため、画像全体に補正を施したり、特殊効果を施したりすることは可能であったが、画像の一部のみに補正を施したり、特殊効果を施したりすることはできなかった。
【０００４】
一方、近年のパーソナルコンピュータを利用した画像編集技術の発達により、撮影済みの画像に対してパーソナルコンピュータ上で種々の補正を行なったり、種々の特殊効果を施すことが可能にはなっているが、一般のユーザには煩瑣で手間のかかる作業である。更に近年のデジタルカメラの普及に伴い、撮影した画像をその場で再生して視覚的に確認すること、または実際に撮影する前に撮影後の画像の状態を確認することが可能になっている。従って、デジタルカメラを使用する場合には、撮影時に種々の補正，特殊効果を施した結果の画像をその場で直ちに確認して満足出来る結果（画像）が得られるまで何度でもやり直すことが可能である。しかし、そのためには従来はやはり目的にかなったフィルタを使用する必要があった。従って、種々のフィルタを持参すると共に、撮影の都度適宜にフィルタを選択する必要があり、一般的なユーザにとっては煩瑣であり、またある程度の専門的な知識も必要な面倒な作業であった。
【０００５】
本発明は以上のような事情に鑑みてなされたものであり、フィルタを使用することなしに、従って複数のフィルタを持ち歩く必要なしに、更には撮影後にパーソナルコンピュータ等を使用しての煩瑣で複雑な編集作業を行う必要もなしに、簡単且つ容易に画像の一部に修正又は種々の効果を施した撮影をその場で行なうことが可能な撮像装置の提供を目的とする。
【０００６】
また本発明は実際に撮影が行なわれた場合に設定されていた領域のホワイトバランスのデータと色温度の設定値とを記憶しておくことにより、ユーザが領域の指定のみを行なえば、過去の撮影時の条件に基づいて色温度を自動的に設定するように学習する撮像装置の提供を目的とする。
【課題を解決するための手段】
【０００７】
本発明は端的には、フラッシュの発光面内の任意の領域の三色（Ｒ，Ｇ，Ｂ）それぞれの発光量を個別に制御することにより、撮影される画像中の任意の領域の色温度を調整可能にする。
【０００８】
本発明に係る撮像装置は、撮像手段と、該撮像手段が撮像している画像を表示画面に表示する表示手段と、該表示手段の表示画面と相似形状の発光面に多数配列された三色の発光素子を発光させるフラッシュとを備えた撮像装置において、前記発光面の任意の領域内に配列された前記三色の発光素子それぞれによる発光量を個別に制御する発光制御手段を備えたことを特徴とする。
【０００９】
上述のような本発明の撮像装置では、フラッシュの発光面のユーザが任意に設定した領域が一般的な昼間の太陽光（デイライト）の場合とほぼ同様の色温度とは異なる色温度で発光する。
【００１０】
また本発明に係る撮像装置は上述の発明において、前記表示画面上に任意の領域を設定する領域設定手段と、該領域設定手段により設定された領域に任意の色温度を設定する色温度設定手段とを備え、前記発光制御手段は、前記フラッシュの発光面の前記領域設定手段により設定された領域の前記表示画面上での位置に対応する発光領域が前記色温度設定手段により設定された色温度で発光するように前記三色の発光素子それぞれによる発光量を個別に制御するようにしてあることを特徴とする。
【００１１】
また上述のような本発明の撮像装置では、フラッシュの発光面のユーザが表示画面上で設定した任意の領域がユーザが設定した任意の色温度で発光する。
【００１２】
更に本発明は上述の発明において、前記撮像手段が撮像している画像の前記領域設定手段により設定された領域の前記表示画面上での位置に対応する領域のホワイトバランスを算出するホワイトバランス算出手段と、前記撮像手段が撮像している画像の前記領域設定手段により設定された領域の前記表示画面上での位置に対応する領域の画像を、前記ホワイトバランス算出手段が算出したホワイトバランスのデータを前記色温度設定手段により設定された色温度に変換した画像に変換する画像変換手段と、前記撮像手段が撮像している画像の前記領域設定手段により設定された領域の前記表示画面上での位置に対応する領域の画像を前記画像変換手段が変換した画像に置換して前記表示手段の表示画面に表示するシミュレーション手段とを備えたことを特徴とする。
【００１３】
更に上述のような本発明の撮像装置では、フラッシュの発光面のユーザが表示画面上で設定した任意の領域がユーザが設定した任意の色温度で発光するように設定した場合に、その撮影結果がシミュレーションされて表示される。
【００１４】
また更に本発明に係る撮像装置は上述の発明において、前記シミュレーション手段が前記表示手段の表示画面に表示している画像が撮影された場合に前記ホワイトバランス算出手段が算出していたホワイトバランスのデータと、前記色温度設定手段により設定されていた色温度のデータとを対応付けて記憶する記憶手段を備え、前記画像変換手段は、前記領域設定手段により前記表示画面上に任意の領域が設定された場合に、前記撮像手段が撮像している画像の前記領域設定手段により設定された領域の前記表示画面上での位置に対応する領域の画像を、前記ホワイトバランス算出手段が算出したホワイトバランスのデータを該データと最も近いデータに対応付けて前記記憶手段が記憶している色温度のデータに変換した画像に変換し、前記シミュレーション手段は、前記撮像手段が撮像している画像の前記領域設定手段により設定された領域の前記表示画面上での位置に対応する領域を前記画像変換手段が変換した画像に置換して前記表示手段の表示画面に表示させるようにしてあることを特徴とする。
【００１５】
また更に上述のような本発明に係る撮像装置では、フラッシュの発光面のユーザが表示画面上で設定した任意の領域がユーザが設定した任意の色温度で発光するように設定して実際に撮影した場合にその際の設定領域のホワイトバランスのデータとユーザが設定した色温度のデータとが記憶手段に記憶され、次にユーザが任意の領域を表示画面上で設定した場合に、設定された領域のホワイトバランスのデータに従って過去の撮影結果に基づいた色温度が自動的に設定され、その設定による撮影結果がシミュレーションされて表示される。
【発明の効果】
【００１６】
上述のような本発明の撮像装置によれば、フラッシュの発光面のユーザが任意に設定した領域が一般的な昼間の太陽光（デイライト）の場合とほぼ同様の色温度とは異なる色温度で発光するので、撮影した結果として得られる画像の一部に修正または特殊な効果を撮影時に施すことが可能になる。
【００１７】
また上述のような本発明の撮像装置によれば、フラッシュの発光面のユーザが表示画面上で設定した任意の領域がユーザが設定した任意の色温度で発光するので、たとえば画角（撮影される画像の範囲）内の一部の暗い部分のみにフラッシュ光を照射することにより、撮影時にその場で補正を施すことが可能になる。従って、たとえば画角（撮影される画像の範囲）内の一部の暗い部分のみにフラッシュ光を照射することにより、撮影時にその場で補正を施すことが可能になる。
【００１８】
更に上述のような本発明の撮像装置によれば、フラッシュの発光面のユーザが表示画面上で設定した任意の領域がユーザが設定した任意の色温度で発光するように設定した場合に、その撮影結果がシミュレーションされて表示されるので、実際に撮影した後に撮影された画像を表示装置に表示して確認する手間が省けると共に、画像を表示装置に表示するための電力が不要になるので、バッテリ駆動されるデジタルカメラのバッテリの寿命も伸びる。
【００１９】
また更に上述のような本発明に係る撮像装置によれば、実際に撮影された場合の情報を記憶しており、ユーザが任意の領域を表示画面上で設定した場合に過去の撮影結果に基づいた撮影結果がシミュレーションされるので、使用頻度が高ければ高いほど、学習効果が発揮される。
【発明を実施するための最良の形態】
【００２０】
以下、本発明に係る撮像装置の最良の実施の形態について、図面を参照して説明する。図１は本発明に係る撮像装置の内部機能の構成例を示す機能ブロック図である。なお、以下においては本発明に係る撮像装置をデジタルスチルカメラに適用した場合について説明するが、デジタルムービーカメラ（デジタルビデオカメラ）にも適用可能なことは明らかである。
【００２１】
本発明に係る撮像装置は制御中枢であるＣＰＵ９に、カメラ信号処理部２，映像信号処理／符号化処理／圧縮・伸張処理部３，領域色温度調整部５，調整色温度記憶部６，フラッシュ駆動回路７及び設定部１０が接続されており、これらはＣＰＵ９との間で一方向又は双方向に信号を送受する。また、フラッシュ駆動回路７にはフラッシュ発光部８が接続されており、ＣＰＵ９からの制御手段に応じてフラッシュ駆動回路７がフラッシュ発光部８の発光を制御する。なお、フラッシュ駆動回路７はフラッシュ電源部を兼ねており、フラッシュ発光部８には後述するようにＲ，Ｇ，Ｂの三色それぞれのＬＥＤを多数配列されている。
【００２２】
また、カメラ信号処理部２にはカメラ部１，領域色温度調整部５及び映像信号処理／符号化処理／圧縮・伸張処理部３が、映像信号処理／符号化処理／圧縮・伸張処理部３には表示部４及び記録再生部２０がそれぞれ接続されている。これらのカメラ部１，カメラ信号処理部２，領域色温度調整部５，映像信号処理／符号化処理／圧縮・伸張処理部３，表示部４及び記録再生部２０の間では白矢符で示すように映像信号が一方向に又は双方向に送受される。
【００２３】
なお、詳細は後述するが、表示部４及び設定部１０は領域設定手段及び色温度設定手段として機能し、領域色温度調整部５はホワイトバランス算出手段及び画像変換手段として機能し、フラッシュ駆動回路７は発光制御手段として機能し、ＣＰＵ９，領域色温度調整部５及びカメラ信号処理部２等はシミュレーション手段として機能する。
【００２４】
カメラ部１は、対物レンズを通して外部から入射する光をＣＣＤ等の受光素子がマトリクス状に配列された撮像手段で受光することにより被写体を撮像し、その光学像を電気信号（映像信号）に変換して出力する。このカメラ部１から出力される映像信号は画像１枚単位でカメラ信号処理部２へ入力される。カメラ信号処理部２は、カメラ部１から入力した映像信号にガンマ補正及び色バランス調整を施して映像信号処理／符号化処理／圧縮・伸張処理部３へ出力する。なお、カメラ信号処理部２で処理済みの映像信号の一部は後述するように領域色温度調整部５へも出力される。
【００２５】
映像信号処理／符号化処理／圧縮・伸張処理部３は、カメラ信号処理部２から入力したガンマ補正及び色バランス調整済みの映像信号に対して表示部４の表示特性、即ち表示部４が液晶表示装置を使用しているのか、他のたとえば有機ＬＥＤ表示装置を使用しているのか等、及び個々の表示装置の特性に合わせて表示させるための映像信号処理を施し、表示部４へ出力する。表示部４はこの映像信号処理／符号化処理／圧縮・伸張処理部３から出力された映像信号処理済みの映像信号を画像として表示するので、ユーザはこの表示部４に表示される画像を確認しつつ撮影を行ない、また後述するように、実際の撮影前にシミュレーション結果を視覚的に確認することも可能である。
【００２６】
また映像信号処理／符号化処理／圧縮・伸張処理部３は、記録再生装置２０の図示しない記録媒体（固体メモリ，ディスク記録媒体等）に映像信号を記録保存させるために必要な符号化処理，圧縮／伸張処理等も行なう。具体的には、映像信号処理／符号化処理／圧縮・伸張処理部３はカメラ信号処理部２から入力した映像信号を符号化（デジタルデータ化）し、デジタルデータ化された映像信号を種々の規格、たとえばＪＰＥＧ等の規格に従って圧縮する処理及びそのようにして圧縮されて記録再生部２０の記録媒体に記録されているデータを伸張して元の映像信号に復元する処理を行なう。なお、記録再生部２０の記録媒体に記録されているデータを伸張処理により元の映像信号に復元して表示部４に表示させることも勿論可能である。
【００２７】
カメラ信号処理部２と領域色温度調整部５との間では、詳細は後述するが、相互に映像信号の送受が行なわれる。具体的には、設定部１０をユーザが操作して設定した領域（色温度調整領域）及びその領域に対して設定したフラッシュの色温度調整値のデータをＣＰＵ９が一旦受け付け、この受け付けた設定に応じてＣＰＵ９がカメラ信号処理部２及び領域色温度調整部５を制御することにより、領域色温度調整部５は設定された領域の部分の映像信号をカメラ信号処理部２から読み出して色温度を調整し、色温度を調整した後の映像信号をカメラ信号処理部２へ送り返す。この結果、表示部４には設定された領域の色温度が調整された画像が表示されることになる。なお、この領域色温度調整部５が色温度を調整した際のフラッシュの色温度（調整値）及びその領域の実際のホワイトバランスデータ対応付けられて調整色温度記憶部６に記憶される。
【００２８】
フラッシュ駆動回路７は、通常はたとえば被写体が暗い場合等にユーザの操作に応じて、またはＣＰＵ９による判断により自動的に、フラッシュ駆動回路７を制御してフラッシュ発光部８に昼間の太陽光（デイライト）とほぼ同様の色温度の白色光を発光させる。但し、本発明に係る撮像装置の特徴である領域色温度調整が行なわれる場合には、ＣＰＵ９の制御によりフラッシュ駆動回路７を後述するように制御してフラッシュ発光部８を発光させる。
【００２９】
図２は本発明に係る撮像装置のフラッシュ発光部８の発光面の構成を示す模式図である。フラッシュ発光部８は三色（Ｒ，Ｇ，Ｂ）それぞれのＬＥＤを多数配列しており、各色別に発光させるＬＥＤの数を調整することにより、フラッシュ光の色温度を調整することが可能に構成されている。具体的には、フラッシュ発光部８の発光面８１は三色（Ｒ，Ｇ，Ｂ）それぞれの発光色のＬＥＤがマトリクス状に配列されたＬＥＤ集合体８２として構成されている。本発明に係る撮像装置の特徴である領域色温度調整を行なわない場合は、ＬＥＤ集合体８２が白色光を発光するように各発光色のＬＥＤそれぞれについて発光する比率（同色のＬＥＤの内の発光するＬＥＤの比率）が予め定められている。但し、特殊な撮影モードにより撮影が行なわれる場合はその撮影モードに応じた色温度となるように各発光色のＬＥＤそれぞれについて発光する比率が予め定められている。
【００３０】
なお、白色光を発光させる場合にも、ＬＥＤ集合体８２の全てのＬＥＤが発光することはない。これはＬＥＤ集合体８２内の特定の領域（たとえば詳細は後述するが参照符号８３で示す領域）の発光色温度を制御するためには、白色光を発光する場合に比して特定の発光色のＬＥＤによる発光量を多くする必要があるためである。
【００３１】
本発明に係る撮像装置の特徴である領域色温度調整が設定されている場合は、詳細は後述するが、ＬＥＤ集合体８２の内のユーザが設定した領域に対応する発光領域（一例として図２に参照符号８３にて示す、なお以下においてはこの領域を指定発光領域という）内の各色のＬＥＤに対して、ユーザが設定した色温度または調整色温度記憶部６から読み出された色温度データに対応した色温度の発光が行なわれるように、ＣＰＵ９からの指示に従ってフラッシュ駆動回路７が制御することにより発光量が制御される。この場合、指定発光領域８３内のいずれかの発光色のＬＥＤの発光量は前述した白色光を発光する場合よりも多くなる場合もあり得る。
【００３２】
図３及び図４は本発明に係る撮像装置の動作説明のためのフローチャート、具体的にはフラッシュ撮影時のＣＰＵ９による処理手順を示すフローチャートである。
【００３３】
操作部１０の操作によりユーザが本発明に係る撮像装置の特徴である領域色温度調整を行なわないように設定している場合（ステップＳ１１でＮＯ）、被写体が明るければフラッシュを使用しない撮影が所定の手順で行なわれ（ステップＳ３１でＮＯ，及びＳ３３）、被写体が暗ければＣＰＵ９によりフラッシュ光が所定の色温度（この場合は昼間の太陽光とほぼ同様の色温度の白色光）になるようにフラッシュ駆動回路７に指示が与えられ、この指示に従ってフラッシュ駆動回路７がフラッシュ発光部８の発光を制御することにより、フラッシュ光が一様に被写体に向けて照射されて撮影が行なわれる（ステップＳ３１でＹＥＳ，及びステップＳ３２）。
【００３４】
一方、操作部１０の操作によりユーザが本発明に係る撮像装置の特徴である領域色温度調整を行なうように設定している場合は（ステップＳ１１でＹＥＳ）、図５の模式図に示すような領域色温度調整を行なうための画面が表示部４の表示画面４１に表示される。この表示画面４１には、カメラ部１で撮像されている画像を表示する画像表示画面４２と、色温度調整領域４４の色温度を設定するための色温度設定画面４３とが、表示画面４１の左右に分割して表示される。また画像表示画面４２には、ユーザが設定部１０の操作により色温度調整領域４４を設定した場合に、設定された色温度調整領域４４の外郭線が表示される。
【００３５】
ユーザはまず、撮影したい画角内、具体的には表示部４に表示されている範囲の画像内の所望の領域を色温度調整領域４４として設定する（ステップＳ１２）。このようにしてユーザが設定した色温度調整領域４４はたとえば画像表示画面４２上の座標値のデータとしてＣＰＵ９により読み込まれる。この後、調整色温度記憶部６に既に過去のデータが保存されている場合は（ステップＳ１３でＹＥＳ）、後述するように自動的に色温度調整値が設定される。しかし、最初は調整色温度記憶部６にはデータは保存されていないので（ステップＳ１３でＮＯ）、ユーザは次に、設定した色温度調整領域４４内の色温度調整値ＵＷｃを設定する（ステップＳ１４）。
【００３６】
なお、色温度調整領域４４のサイズ及び位置はユーザが設定部１０を操作することにより変更可能である。具体的にはたとえば、色温度調整領域４４を設定するために設定部１０に備えられているスイッチ又はボタンをユーザがオンすると画像表示画面４２上の所定位置（たとえば中央部）に最初に輝点が表示され、ユーザがたとえば十字キーを操作して輝点を画像表示画面４２上で移動させて確定キーをオンすることにより色温度調整領域４４の１頂点が決定され、この位置から再度上述同様に十字キーの操作及び確定キーのオンにより色温度調整領域４４の他の３頂点を決定することが可能である。なお、図示した例では色温度調整領域４４は矩形であるが、これに限定されるものではない。
【００３７】
このようにして画像表示画面４２上に設定された色温度調整領域４４において、三色（Ｒ，Ｇ，Ｂ）のＬＥＤの発光量比を色温度設定画面４３に表示されている各色別のスクロールバー４３Ｒ，４３Ｇ，４３Ｂを操作して個別に設定することにより調整することが可能である。具体的には、色温度設定画面４３で各色別の明るさ（バーの位置）を設定することにより、設定に対応した各発光色のＬＥＤの発光個数が制御可能であり、このことは換言すれば各発光色別に発光量比が調整可能であることを意味している。なおこの各色別のスクロールバー４３Ｒ，４３Ｇ，４３Ｂの操作はたとえば、操作部１０に備えられている各色別のスイッチ又はボタンで色の指定を行ない、十字キーの操作でバーを上下に移動させることにより可能である。
【００３８】
たとえば、赤（Ｒ）のＬＥＤの発光量を多くしたい（明るくしたい）場合は、参照符号４３ＲＢで示す赤用のバーを他の色用のバー４３ＧＢ，４３ＢＢよりも明るくなる方向（画面上で上方）へ移動させればよい。このようにして設定される色温度は、色温度表示部４５に数値（単位はＫ：ケルビン）で表示されるので、ユーザが確認することが容易に可能である。
【００３９】
色温度設定画面４３上で設定された色温度調整領域４４はＣＰＵ９によりたとえば画像表示画面４２上の座標値のデータとして取り込まれる。ＣＰＵ９はこのデータに従ってカメラ信号処理部２に指示を与えることにより、その時点で撮像されている１枚の画像中の色温度調整領域４４に対応する部分の画素（受光素子）の映像信号をカメラ信号処理部２から領域色温度調整部５へ出力させる。領域色温度調整部５では、カメラ信号処理部２から入力した色温度調整領域４４に対応する部分の画素の映像信号のデータのホワイトバランスデータＩＷｃを算出し（ステップＳ１５）、これをＣＰＵ９から与えられている色温度調整領域４４に対して設定されている色温度調整値ＵＷｃに変更する（ステップＳ１６）。この調整値ＵＷｃに色温度が変更された後の映像信号は領域色温度調整部５からカメラ信号処理部２へ戻され、元の部分、即ち色温度調整領域４４の部分の画素の映像信号と置換される。これにより、表示部４の画像表示画面４２上に設定されている色温度調整領域４４には、ステップＳ１４で設定された色温度調整値ＵＷｃによる効果が加味された撮影結果をシミュレーションした画像が表示される（ステップＳ１７）。
【００４０】
なお、カメラ部１は所定時間間隔で撮像を行なってその画像を表示部４に表示しているが、上述のように色温度調整領域４４が設定されてその色温度が変更された場合には色温度調整領域４４の部分に関しては色温度が変更された状態を維持する。
【００４１】
このようにして表示部４の画像表示画面４２に表示されたシミュレーション結果の画像はユーザが視認することが可能であるので、その結果にユーザが不満である場合にはその状態では撮影（シャッタを押して画像データを記録再生装置２０の記録媒体に記録すること）を行なわずに（ステップＳ１８でＮＯ）、再度色温度調整値の設定をやり直すことが可能である。この場合にはＣＰＵ９は上述のステップＳ１５へ処理を戻す。
【００４２】
シミュレーション結果の画像にユーザが満足して撮影を行なった（シャッタを押した）場合（ステップＳ１８でＹＥＳ）、実際に撮影が行なわれる（ステップＳ１９）。具体的には、ユーザがシャッタを押すと、設定されている色温度調整領域４４に対応するフラッシュ発光部８の発光面８１内の指定発光領域８３が設定されている色温度調整値となるように各発光色のＬＥＤの発光量がフラッシュ駆動回路７により制御されてフラッシュ発光部８が発光する。
【００４３】
これにより、フラッシュ発光部８が発光した時点でカメラ部１が撮像している映像信号がカメラ信号処理部２，映像信号処理／符号化処理／圧縮・伸張処理部３を経由して記録再生部２０の記録媒体に記録される。この際、領域色温度調整部５で算出していた色温度調整領域４４のホワイトバランスデータＩＷｃとＣＰＵ９から与えられていた色温度調整値ＵＷｃとが対応付けられて調整色温度記憶部６に記憶（保存）される（ステップＳ２０）。
【００４４】
以上のようにして１枚の画像の撮影が終了するが、調整色温度記憶部６には領域色温度調整部５が算出した色温度調整領域４４の実際のホワイトバランスデータＩＷｃとユーザが設定した色温度調整値ＵＷｃとが、撮影が行なわれる都度、新たにデータＩＷ，ＵＷとして対応付けられて保存される。これらのデータが調整色温度記憶部６に既に保存されている場合には、ユーザが色温度調整値を設定せずとも色温度調整領域４４の設定を行なうのみで自動的に色温度の調整が行なわれる。換言すれば、本発明に係る撮像装置は学習機能を有している。
【００４５】
前述のステップＳ１３において調整色温度記憶部６に保存データが存在する場合（ステップＳ１３でＹＥＳ）、ＣＰＵ９はユーザが設定した色温度調整領域４４の映像信号をカメラ信号処理部２から領域色温度調整部５へ出力させてホワイトバランスデータＩＷｃを算出させる（ステップＳ２１）。次にＣＰＵ９は、調整色温度記憶部６が記憶（保存）しているホワイトバランスデータＩＷの内のステップＳ２１で算出されたホワイトバランスデータＩＷｃに最も近いホワイトバランスデータＩＷを調整色温度記憶部６を検索して求める（ステップＳ２２）。そしてＣＰＵ９は、ステップＳ２２において求められたホワイトバランスデータＩＷに対応付けて調整色温度記憶部６が記憶している色温度調整値ＵＷを読み出す（ステップＳ２３）。そしてＣＰＵ９は、調整色温度記憶部６から読み出した色温度調整値ＵＶを領域色温度調整部５に与えることにより、先にステップＳ２１で算出された色温度調整領域４４のホワイトバランスデータＩＷｃを調整色温度記憶部６から読み出された色温度調整値ＵＷに変更する（ステップＳ２４）。
【００４６】
このようにして調整色温度記憶部６から読み出された色温度調整値ＵＷに色温度が変更された後の色温度調整領域４４の映像信号は領域色温度調整部５からカメラ信号処理部２へ戻され、元の部分、即ち色温度調整領域４４の部分の映像信号と置換される。これにより、表示部４の画像表示画面４２には、設定されている色温度調整領域４４に調整色温度記憶部６が記憶していた色温度調整値ＵＷによる効果が加味された撮影結果をシミュレーションした画像が表示される（ステップＳ１７）。
【００４７】
このようにして、調整色温度記憶部６に過去のデータが保存されている場合には、ユーザが色温度調整領域４４の設定を行なうのみで、色温度調整領域４４の色温度を調整したシミュレーション結果の画像が表示部４に自動的に表示される。但し、この自動的にシミュレーションされた画像をユーザが視認して不満である場合にはその状態では撮影を行なわずに（ステップＳ１８でＮＯ）、ユーザ自身が色温度調整値の設定を行なうことが可能である。この場合にはステップＳ１５へ処理が戻される。
【００４８】
自動的に行なわれたシミュレーション結果の画像にユーザが満足して撮影を行なった（シャッタを押した）場合（ステップＳ１８でＹＥＳ）、前述同様に実際に撮影が行なわれる（ステップＳ１９）。この際、領域色温度調整部５で算出していた色温度調整領域４４のホワイトバランスデータＩＷｃと調整色温度記憶部６から読み出された色温度調整値ＵＷとが対応付けられて新たに調整色温度記憶部６に記憶（保存）される（ステップＳ２０）。
【００４９】
一方、自動的に行なわれたシミュレーション結果の画像をユーザが視認して不満であった場合には前述した如く、ステップＳ１５へ処理を戻してユーザ自身が色温度調整値の設定を行なうことが可能である。この結果、実際に撮影が行なわれれば、その時点でユーザが設定していた色温度調整値ＵＷｃと色温度調整領域４４の映像信号から算出されたホワイトバランスデータＩＷｃとが対応付けられて新たに調整色温度記憶部６に記憶（保存）される（ステップＳ２０）。
【００５０】
従って、ユーザが自身で色温度の調整を行なう回数が多ければ多いほど、調整色温度記憶部６にはホワイトバランスデータＩＷと色温度の調整データＵＷとの組み合わせのデータが数多く保存されることになるので、いわゆる学習効果が発揮されることになり、ユーザが自身で色温度調整値を設定しなければならない確率は低くなる。
【００５１】
以上に詳述したように本発明に係る撮像装置によれば、表示部４に表示されている画角内のユーザが設定した領域のみについて色温度を任意に調整できるので、従来は撮影後にパーソナルコンピュータ等を利用して画像編集によってしか行なえなかった画像の部分的な補正を撮影時にその場で行なうことが可能になる。
【００５２】
たとえば、図５の模式図に示すように、被写体として二人の人物が並んでおり、その内の一人が日向に、他の一人が木陰に居るような状況において、木陰に居る人物の顔が木の葉（緑）の反射によって緑色に撮影されるような場合、画像上の一部を色温度調整領域４４として指定してその部分の色温度を調整することにより、色かぶれが起こらないように補正した撮影がその場で可能となる。また、単に画像を正常な状態に補正するのではなく、意図的に特殊効果を施して撮影することも容易に可能になるので、そのような特殊効果を施した画像を創作することも撮影時にその場で容易に可能になる。
【００５３】
また本発明に係る撮像装置によれば、色温度調整領域４４に対して設定された色温度調整値と色温度調整領域４４の実際のホワイトバランスデータとを対応付けて調整色温度記憶部６に記憶させているので、色温度調整領域４４を設定するのみで過去の状況に最も近い状態で色温度を自動的に調整するように学習効果を持たせることが可能になる。
【００５４】
なお、操作部１０は表示部４上に重畳されたタッチパネルとして構成されていてもよく、また表示部４の表示画面４１上に表示されるＧＵＩであってもよい。
【図面の簡単な説明】
【００５５】
【図１】本発明に係る撮像装置の内部機能の構成例を示す機能ブロック図である。
【図２】本発明に係る撮像装置のフラッシュ発光部の発光面の構成を示す模式図である。
【図３】本発明に係る撮像装置の動作説明のためのフローチャートである。
【図４】本発明に係る撮像装置の動作説明のためのフローチャートである。
【図５】本発明に係る撮像装置の領域色温度調整を行なうように設定している場合の表示部の表示状態を示す模式図である。
【符号の説明】
【００５６】
１  カメラ部
２  カメラ信号処理部
３  映像信号処理／符号化処理／圧縮・伸張処理部
４  表示部
５  領域色温度調整部
６  調整色温度記憶部
７  フラッシュ駆動回路
８  フラッシュ発光部
９  ＣＰＵ
１０  設定部
４２  画像表示画面
４３  色温度設定画面
４４  色温度調整領域
８１  発光面
８３  指定発光領域
【図１】
2005277957.tif 000003
【図２】
2005277957.tif 000004
【図３】
2005277957.tif 000005
【図４】
2005277957.tif 000006
【図５】
2005277957.tif 000007